(57)【特許請求の範囲】
【請求項１】
２種類以上の高さの異なる第１および第２脚部材と、前記第１および第２脚部材に共通で使用される天板とを備え、
前記天板と、前記第１および第２脚部材とが、互いに脱着可能な接続部分を有し、
高さの低い第１脚部材と前記天板とを組み合わせると座卓となり、
前記第１脚部材よりも高さの高い第２脚部材と前記天板とを組み合わせると椅子用のテーブルとなり、
前記天板を外した状態で、前記第１脚部材および前記第２脚部材のそれぞれを垂直に複数スタッキング可能な机セット。
【請求項２】
前記第１および第２脚部材のそれぞれが、
前記天板側の水平材として形成された枠体と、
前記第１および第２脚部材の接地側の水平材として形成された、略コ字状の接地部と、前記枠体と前記接地部とを連結する連結部とを備える請求項１記載の机セット。
【請求項３】
前記枠体および前記接地部の形状および大きさが、前記第１脚部材と前記第２脚部材とで共通する請求項２記載の机セット。
【請求項４】
前記枠体が、断面が略円形の部材から構成され、
略平行に離間して配置された第１の部分および第２の部分を有し、
前記第１の部分は、前記机セットを構成する机の奥側に位置し、前記第２の部分は、前記机の手前側に位置し、
前記天板が、前記枠体への取付面に、前記枠体の第１および第２の部分に取り付けられる第１および第２の取付部材を備え、
前記第１の部分に取り付けられる第１の取付部材が、前記天板の奥側が開放し、前記枠体の第１の部分に係合する係合部を備え、
前記第２の部分に取り付けられる第２の取付部材が、前記枠体の第２の部分を挟持する、弾性変形可能な挟持部を備え、
前記第１の取付部材を前記第１の部分に取り付けた後、前記第２の取付部材を前記第２の部分に取り付けて、前記天板が前記枠体に取り付けられることを特徴とする請求項２または３に記載の机セット。
【請求項５】
前記枠体が、断面が略円形の部材から構成され、
略平行に離間して配置された第１の部分および第２の部分を有し、
前記天板が、前記枠体への取付面に、前記枠体の第１および第２の部分に取り付けられる第１および第２の取付部材を備え、
前記第１の部分に取り付けられる第１の取付部材が、前記第２の取付部材に向かう方向とは逆の方向において開放し、前記枠体の第１の部分に係合する係合部を備え、
前記第２の部分に取り付けられる第２の取付部材が、
前記枠体の前記第２の部分に係合可能な被操作部と、
前記被操作部を、前記第２の部分に係合する係合位置と、前記第２の部分との係合を解除する係合解除位置との間で操作する操作部と、
前記被操作部を前記係合位置に向かって付勢する付勢部材とを備え、
前記第１の取付部材を前記第１の部分に取り付けた後、前記第２の取付部材を前記第２の部分に取り付けて、前記天板が前記枠体に取り付けられることを特徴とする請求項２または３に記載の机セット。
【請求項６】
前記机セットを構成するそれぞれの机が、一人用の机である請求項１〜５のいずれか１項に記載の机セット。
【発明の詳細な説明】
【技術分野】
【０００１】
本発明は、机セットに関する。さらに詳しくは、天板が分離可能で、異なる高さに対応可能な机セットに関する。
【背景技術】
【０００２】
たとえば、旅館などの宴会場などで食事をする際に、倉庫などに収納されていたお膳などを、倉庫から人数分取り出して並べ、食事を配膳している。通常、旅館等で用いられているお膳は、脚部と、脚部の上部に設けられた天板とを備えている。食事をする者は、座布団の上に胡座や正座をして座り、お膳の天板上に配膳された料理を食べている。このようなお膳は、団体客に対応するため、数多くのお膳を用意する必要がある。しかし、お膳の数が多くなると、収納に場所を取るため、旅館などのサービス提供者はその保管場所に苦慮している。
【０００３】
このようなお膳を収納・保管する場合、お膳をそのまま積み重ねて収納すると、お膳の高さとお膳の個数との積の分だけ高さが必要となり、かつ、高く積み上げた場合には不安定となってしまう。収納や保管を容易にするものとして、たとえば、特許文献１には、支持台を用いて膳台を傾斜させて積み重ねる方法があるが、膳台を積み重ねるために支持台が必要となるうえ、積み重ねられたお膳やテーブルの重量が、お膳やテーブルの脚部の一部に集中するため、破損の原因となる。
【０００４】
さらに、近年、食事をする団体客の中には、足腰が悪く、通常のお膳での食事が困難な場合がある。その場合、お膳とは別にお膳よりも高さの高いテーブルを用意して、イスに腰掛けて食事をしている。最近の高齢化社会においては、このように足腰の悪い人が増加しており、食事中に用意する高さの高いテーブルの数は従来よりも多く必要となっている。そのため、複数のお膳と、お膳よりも高さの高い複数のテーブルとの両方を、収納・保管する必要があるため、益々多くのスペースが必要となっている。
【先行技術文献】
【特許文献】
【０００５】
【特許文献１】特開昭６１−０９２６０６号公報
【発明の概要】
【発明が解決しようとする課題】
【０００６】
このように、異なる２種類の机を収納する際に、有効な保管方法がないのが現状であり、異なる２種類の机をコンパクトに収納することができ、かつ、異なる２種類の机を提供する際に、効率良く提供することができる机セットが求められている。
【０００７】
そこで、本発明はかかる問題点に鑑みて、異なる２種類の机をコンパクトに収納することができ、かつ、効率良く机を提供することができる机セットの提供を目的とする。
【課題を解決するための手段】
【０００８】
本発明の机セットは、２種類以上の高さの異なる第１および第２脚部材と、前記第１および第２脚部材に共通で使用される天板とを備え、前記天板と、前記第１および第２脚部材とが、互いに脱着可能な接続部分を有し、高さの低い第１脚部材と前記天板とを組み合わせると座卓となり、前記第１脚部材よりも高さの高い第２脚部材と前記天板とを組み合わせると椅子用のテーブルとなり、前記天板を外した状態で、前記第１脚部材および前記第２脚部材のそれぞれを垂直に複数スタッキング可能であることを特徴とする。
【０００９】
また、前記第１および第２脚部材のそれぞれが、前記天板側の水平材として形成された枠体と、前記第１および第２脚部材の接地側の水平材として形成された、略コ字状の接地部と、前記枠体と前記接地部とを連結する連結部とを備えることが好ましい。
【００１０】
また、前記枠体および前記接地部の形状および大きさが、前記第１脚部材と前記第２脚部材とで共通することが好ましい。
【００１１】
また、前記机セットを構成するそれぞれの机が、一人用の机であることが好ましい。
【００１２】
また、前記枠体が、断面が略円形の部材から構成され、略平行に離間して配置された第１の部分および第２の部分を有し、前記第１の部分は、前記机セットを構成する机の奥側に位置し、前記第２の部分は、前記机の手前側に位置し、前記天板が、前記枠体への取付面に、前記枠体の第１および第２の部分に取り付けられる第１および第２の取付部材を備え、前記第１の部分に取り付けられる第１の取付部材が、前記天板の奥側が開放し、前記枠体の第１の部分に係合する係合部を備え、前記第２の部分に取り付けられる第２の取付部材が、前記枠体の第２の部分を挟持する、弾性変形可能な挟持部を備え、前記第１の取付部材を前記第１の部分に取り付けた後、前記第２の取付部材を前記第２の部分に取り付けて、前記天板が前記枠体に取り付けられることが好ましい。
【００１３】
また、前記枠体が、断面が略円形の部材から構成され、略平行に離間して配置された第１の部分および第２の部分を有し、前記天板が、前記枠体への取付面に、前記枠体の第１および第２の部分に取り付けられる第１および第２の取付部材を備え、前記第１の部分に取り付けられる第１の取付部材が、前記第２の取付部材に向かう方向とは逆の方向において開放し、前記枠体の第１の部分に係合する係合部を備え、前記第２の部分に取り付けられる第２の取付部材が、前記枠体の前記第２の部分に係合可能な被操作部と、前記被操作部を、前記第２の部分に係合する係合位置と、前記第２の部分との係合を解除する係合解除位置との間で操作する操作部と、前記被操作部を前記係合位置に向かって付勢する付勢部材とを備え、前記第１の取付部材を前記第１の部分に取り付けた後、前記第２の取付部材を前記第２の部分に取り付けて、前記天板が前記枠体に取り付けられることが好ましい。
【発明の効果】
【００１４】
本発明の机セットによれば、異なる２種類の机をコンパクトに収納することができ、かつ、効率良く机を提供することができる。
【図面の簡単な説明】
【００１５】
【図１】本発明の机セットの一実施形態を示す概略図である。
【図２】本発明の机セットに用いられる一実施形態の第１の机を示す斜視図である。
【図３】本発明の机セットに用いられる一実施形態の第１の机を奥側から見た側面図である。
【図４】本発明の机セットに用いられる一実施形態の第１の机を、天板と枠体との接続部分を通る切断線により切断した断面図である。
【図５】本発明の机セットに用いられる第１脚部材の上面図である。
【図６】第１脚部材をスタッキングした状態を示す側面図である。
【図７】本発明の机セットに用いられる一実施形態の第２の机を示す斜視図である。
【図８】本発明の机セットに用いられる一実施形態の第２の机の側面図である。
【図９】本発明の机セットに用いられる第２脚部材の上面図である。
【図１０】第２脚部材をスタッキングした状態を示す側面図である。
【図１１】（ａ）および（ｂ）は、天板の枠体への取り付けを示す概略図である。
【図１２】（ａ）は、第１の取付部材の一例を示す、天板の下側から見た状態を示す図であり、（ｂ）は、（ａ）に示す第１の取付部材を側面から見た状態を示す図である。
【図１３】横ずれ防止突起が嵌入する嵌入穴が形成された天板の下面側を示す図である。
【図１４】本発明の机セットの第１の取付部材の他の実施形態を示す図であり、第１の取付部材が係合位置にある状態を示している。
【図１５】本発明の机セットの第１の取付部材の他の実施形態を示す図であり、第１の取付部材が係合解除位置にある状態を示している。
【図１６】スタッキング時のずれを防止する保持部の断面図である。
【発明を実施するための形態】
【００１６】
以下、添付図面を参照し、本発明の机セットを一実施形態の机セットを例にあげて、詳細に説明する。なお、以下に示す実施形態の机セットは、２種類の異なる高さの机を有する机セットとして示しているが、本発明の机セットは、以下に示す実施形態に限定されるものではなく、たとえば、３種類以上の異なる高さの机を備えていてもよい。また、本実施形態の机セットは、たとえば、旅館、ホテルなどの宴会場などにおいて用いられるお膳として機能する机に適用されるが、他の用途に適用することもできる。
【００１７】
本実施形態の机セットＳは、図１に示されるように、２種類以上の高さの異なる第１脚部材１１および第２脚部材２１と、第１脚部材１１および第２脚部材２１に共通で使用される天板Ｐとを備えている。なお、図１中、壁Ｗよりも左側の空間は、たとえば、旅館やホテルなどの宴会場など、机が並べられる空間を示しており、壁Ｗよりも右側の空間は、倉庫など、第１および第２脚部材１１、２１などを収納するスペースを示している。
【００１８】
第１脚部材１１は、図１に示されるように、第２脚部材２１よりも高さが低く、高さの低い第１脚部材１１と天板Ｐとを組み合わせると座卓として用いられる第１の机１となる。第１の机１の高さ（第１脚部材１１の接地面から天板Ｐの上面までの高さ）は、座卓として用いることができる高さであれば特に限定されないが、たとえば、３００〜４００ｍｍとすることができる。また、第１脚部材１１よりも高さの高い第２脚部材２１と天板Ｐとを組み合わせると椅子用のテーブル（椅子とともに用いられる高さのテーブル）として用いられる第２の机２となる。第２の机２の高さ（第２脚部材２１の接地面から天板Ｐの上面までの高さ）は、椅子用のテーブルとして用いることができる高さであれば特に限定されないが、たとえば、５００〜７５０ｍｍとすることができる。
【００１９】
以下、第１脚部材１１および第２脚部材２１の構成についてまとめて説明する。
【００２０】
本実施形態では、第１脚部材１１および第２脚部材２１は、図２〜図５、図７〜図９に示されるように、天板Ｐが取り付けられる枠体１１ａ、２１ａと、枠体１１ａ、２１ａに接続される脚部１１ｂ、２１ｂとを有している。枠体１１ａ、２１ａは、本実施形態では、天板Ｐ側の水平材として形成されている。また、脚部１１ｂ、２１ｂは、図２〜図５、図７〜図９に示されるように、第１および第２脚部材１１、２１の接地面に接地するように設けられた接地部１１ｃ、２１ｃと、枠体１１ａ、２１ａと接地部１１ｃ、２１ｃとを連結する連結部１１ｄ、２１ｄとを有している。また、詳細は後述するが、天板Ｐおよび第１脚部材１１、天板Ｐおよび第２脚部材２１は、図１および図７に示されるように、互いに脱着可能な接続部分Ｃを有している。第１の机１の接続部分Ｃは、本実施形態では、図２に示されるように、天板側接続部（後述する第１および第２の取付部材Ｐａ、Ｐｂ）と、第１脚部材側接続部（後述する第１の部分Ｐ１および第２の部分Ｐ２）とを備え、天板側接続部と第１脚部材側接続部とが接続されることにより、天板Ｐと第１脚部材１１とが接続される。また、第２の机２の接続部分Ｃは、図７に示されるように、本実施形態では、天板側接続部（後述する第１および第２の取付部材Ｐａ、Ｐｂ）と、第２脚部材側接続部（後述する第１の部分Ｐ１および第２の部分Ｐ２）とを備え、天板側接続部と第２脚部材側接続部とが接続されることにより、天板Ｐと第２脚部材２１とが接続される。本実施形態では、天板Ｐの後述する第１および第２の取付部材Ｐａ、Ｐｂ（図１１（ａ）および（ｂ）参照）が、天板側接続部を構成し、天板Ｐの第１および第２の取付部材Ｐａ、Ｐｂに接続される枠体１１ａ、２１ａの一部（第１の部分Ｐ１および第２の部分Ｐ２）が第１および第２脚部材側接続部を構成している。なお、天板側接続部および第１および第２脚部材側接続部の構造や形状は、図示するものに限定されず、他の構造や形状であっても構わない。
【００２１】
枠体１１ａ、２１ａは、図２〜図５、図７〜図９に示されるように、第１および第２脚部材１１、２１の天板Ｐ側の骨組となる部材である。枠体１１ａ、２１ａは、天板Ｐとの間の接続部分Ｃが少なくとも２か所形成されるように、水平面内において、略平行に離間して配置された第１の部分Ｐ１および第２の部分Ｐ２を有している。枠体１１ａ、２１ａの形状は、天板Ｐとの接続部分Ｃを確保することができれば、その形状は特に限定されないが、本実施形態では、図２、図５、図７および図９に示されるように、略矩形の環状（略ロ字状）に形成されている。より具体的には、枠体１１ａ、２１ａは、横断面（垂直方向の断面）が円形のパイプ状の部材が、略矩形環状に曲げ加工され溶接されることにより形成されている。枠体１１ａ、２１ａは、たとえば、矩形環状ではなく、円環状、Ｃ字状、Ｕ字状としてもよいし、第１および第２の机１、２の奥側および手前側に、互いに平行な２本の棒状またはパイプ状の部材を設けて枠体としてもよいし、互いに平行な２本の棒状またはパイプ状の部材を、別の連結部材により連結したものであっても構わない。なお、本明細書において、奥側という場合、着座者から見たときの着座者から離れた側をいい、手前側というときは、着座者から見たときの着座者に近い側をいい、着座者から見たときの左右方向を左右という。
【００２２】
接地部１１ｃ、２１ｃは、第１および第２の机１、２が床面上に置かれたときに、床面に接地する部分である。接地部１１ｃ、２１ｃは、畳擦れとして機能し、和室などで用いられたときに、畳を傷めにくい。接地部１１ｃ、２１ｃは床面に接地するものであれば、特にその形状は限定されないが、本実施形態では、図２、図５、図７および図９に示されるように、第１脚部材１１、２１の接地側の水平材として、略コ字状に形成されている。より具体的には、本実施形態の接地部１１ｃ、２１ｃは、横断面が円形のパイプ状の部材が、コ字状に曲げ加工されて形成されている。接地部１１ｃ、２１ｃが略コ字状に形成されることにより、床面との接地面積が増えて安定するとともに、接地部１１ｃ、２１ｃのうち、着座者が座る側となる机の手前側（図５および図９中、上側）が開放されることとなるため、着座者の足が接地部１１ｃ、２１ｃと干渉することがない。
【００２３】
連結部１１ｄ、２１ｄは、枠体１１ａ、２１ａと接地部１１ｃ、２１ｃとを連結する。連結部１１ｄ、２１ｄのそれぞれの数は特に限定されないが、本実施形態では、複数の連結部１１ｄ、２１ｄ（第１脚部材１１においては、４本（図２参照）。第２脚部材２１においては、６本（図７参照））により、枠体１１ａ、２１ａと接地部１１ｃ、２１ｃとが連結されている。複数の連結部１１ｄ、２１ｄにより枠体１１ａ、２１ａと接地部１１ｃ、２１ｃとが連結されることにより、第１および第２脚部材１１、２１の剛性が向上する。連結部１１ｄ、２１ｄは本実施形態では断面が円形の棒状またはパイプ状に形成されているが、板状の連結部であっても構わない。
【００２４】
本実施形態では、略矩形環状に形成された枠体１１ａ、２１ａと、略コ字状の接地部１１ｃ、２１ｃとが複数の連結部１１ｄ、２１ｄにより連結されている。略コ字状の接地部１１ｃ、２１ｃは、図５および図９に示されるように、上面視で枠体１１ａ、２１ａよりも外側に一回り大きくなるように形成され、図２〜図５および図７〜図９に示されるように、連結部１１ｄ、２１ｄは枠体１１ａ、２１ａから接地部１１ｃ、２１ｃに向かうにつれて外側に張り出すように傾斜して設けられている。連結部１１ｄ、２１ｄの本数や、位置は特に限定されないが、本実施形態では、連結部１１ｄは、第１脚部材１１の左右両側にそれぞれ１本設けられ、第１脚部材１１の奥側に２本設けられている。また、連結部２１ｄは、第２脚部材２１の左右両側にそれぞれ２本設けられ、第２脚部材２１の奥側に２本設けられている。
【００２５】
なお、本実施形態では、第１脚部材１１は、第２脚部材２１よりも低いため、図２および図７から理解できるように、第１脚部材１１の連結部１１ｄは、第２脚部材２１の連結部２１ｄよりも短い。また、本実施形態では、後述するように、枠体１１ａと枠体２１ａとが同一の形状および大きさを有し（図５および図９参照）、接地部１１ｃと接地部２１ｃとが同一の形状および大きさを有しているため、連結部１１ｄと接地部１１ｃとの間の角度は、連結部２１ｄと接地部２１ｃとの間の角度よりも小さくなっている（図４および図８参照）。
【００２６】
天板Ｐは、第１脚部材１１と第２脚部材２１とで共通して用いられ、第１および第２脚部材１１、２１のいずれにも取り付けることができる。天板Ｐは、図１１（ａ）および（ｂ）に示されるように、天板本体Ｂと、天板本体Ｂの下面、すなわち、枠体１１ａ、２１ａへの取付面に、天板側接続部（第１および第２の取付部材Ｐａ、Ｐｂ）を有している。天板本体Ｂは、図２および図７に示されるように、枠体１１ａ、２１ａから外側に張り出す大きさであり、天板本体Ｂの大きさを広く確保している。本実施形態では、天板Ｐは、図１１（ａ）および（ｂ）に示されるように、天板側接続部となる、第１および第２の取付部材Ｐａ、Ｐｂが、第１および第２脚部材側接続部となる、枠体１１ａ、２１ａの第１の部分Ｐ１および第２の部分Ｐ２に係合することにより、取り付けられる。これにより、天板Ｐの枠体１１ａ、２１ａへの取り付けを容易にすることができるとともに、簡単に天板Ｐが枠体１１ａ、２１ａから外れることを防止する。
【００２７】
本実施形態では、天板側接続部は、図１１（ａ）および（ｂ）に示されるように、構造が異なる第１の取付部材Ｐａと、第２の取付部材Ｐｂとが、略平行に配置された枠体１１ａ、２１ａの第１の部分Ｐ１および第２の部分Ｐ２（本実施形態では、机の奥側が第１の部分Ｐ１であり（図２および図７参照）、机の手前側が第２の部分Ｐ２となっている（図２および図７参照））にそれぞれ取り付けられる。第１の取付部材Ｐａおよび第２の取付部材Ｐｂの構造は、天板Ｐを枠体１１ａ、２１ａに取り付けることができれば、特に限定されないが、本実施形態では、図１１（ａ）および（ｂ）に示されるように、第１の取付部材Ｐａは、天板Ｐの奥側に向かって開放し、枠体１１ａ、２１ａの第１の部分Ｐ１に係合する係合部Ｅを備えている。また、図１１（ａ）および（ｂ）に示されるように、第２の取付部材Ｐｂは、枠体１１ａ、２１ａの第２の部分Ｐ２を挟持する、弾性変形可能な一対の挟持部Ｓａ１、Ｓａ２を備えている。
【００２８】
係合部Ｅは、天板Ｐの奥側に向かって開放し、図１１（ａ）、（ｂ）、図１２（ａ）および（ｂ）に示されるように、係合部Ｅ自体の断面が略Ｃ字状または、天板本体Ｂの下面と係合部Ｅとにより、略Ｃ字状となるように構成されている。本実施形態では、係合部Ｅにより、または係合部Ｅと天板本体Ｂの下面とにより形成される内側の空間に枠体１１ａ、２１ａの第１の部分Ｐ１が入るような大きさに形成されている。より詳細に説明すると、係合部Ｅを含む第１の取付部材Ｐａは、図１２（ａ）および（ｂ）に示されるように、天板Ｐに取り付けられる平板部Ｐａ１と、平板部Ｐａ１から延びる係合部Ｅとを備えている。係合部Ｅは、図１２（ｂ）に示されるように、平板部Ｐａ１から略垂直方向に延びた後、天板Ｐの奥側に向かって延びて、係合部Ｅの奥側に向かって、平板部Ｐａ１との間の間隔が広くなるように傾斜して延びている。これにより、枠体１１ａ、１１ｂの第１の部分Ｐ１に取り付けるときに取り付けやすくなっている。また、本実施形態では、係合部Ｅの手前側の幅は、第１および第２脚部材１１、２１の奥側に設けられた２本の連結部１１ｄ、２１ｄの間の間隔に対応している。これにより、係合部Ｅが第１の部分Ｐ１に係合し、天板Ｐが枠体１１ａ、２１ａに取り付けられたときに、天板Ｐの左右方向のずれを防止することができる。また、本実施形態では、図１２（ａ）に示されるように、係合部Ｅは、係合部Ｅの奥側に向かって、左右方向の幅が狭くなるように構成されている。これにより、係合部Ｅを２本の連結部１１ｄ、２１ｄの間に差し込むときに、容易に差し込むことができる。
【００２９】
挟持部Ｓａ１およびＳａ２は、本実施形態では、弾性変形することにより、断面が円形の枠体１１ａ、２１ａの一部である第２の部分Ｐ２を挟み込んで係合するように構成されている。挟持部Ｓａ１およびＳａ２との先端は、挟持部Ｓａ１およびＳａ２の間の間隔が枠体１１ａ、２１ａの外径よりも小さくなるように構成され、枠体１１ａ、２１ａに向かって押し込むことにより、一時的に間隔が広がった後、さらに押し込むと間隔が狭くなり、枠体１１ａ、２１ａの第２の部分Ｐ２を挟持する。
【００３０】
本実施形態の係合部Ｅを有する第１の取付部材Ｐａと、挟持部Ｓａ１、Ｓａ２を有する第２の取付部材Ｐｂとを、枠体１１ａ、２１ａの第１の部分Ｐ１および第２の部分Ｐ２に取り付ける場合は、図１１（ａ）に示されるように（図１１（ａ）では、第１脚部材１１の枠体１１ａに天板Ｐを取り付ける場合について示している）、まず、たとえば、床面に載置された第１脚部材１１の枠体１１ａに向かって、天板Ｐを斜めにした状態で、係合部Ｅを第１の部分Ｐ１に係合させる。係合部Ｅを第１の部分Ｐ１に係合させ、第１脚部材１１の奥側を係合した後、天板Ｐの手前側を、図１１（ｂ）の状態となるように、係合部Ｅと第１の部分Ｐ１との係合箇所を支点として旋回させて、天板Ｐを下方に向かって下ろす。これにより、天板Ｐを下ろして下方へ押し込むと、挟持部Ｓａ１、Ｓａ２が枠体１１ａの第２の部分Ｐ２を挟持して、天板Ｐの枠体１１ａへの取り付けが完了する（図１１（ｂ）参照）。なお、天板Ｐを、第２脚部材２１の枠体２１ａに取り付ける場合も同様である。このような構造により、本実施形態の天板Ｐは、第１および第２脚部材１１、２１への取り付けが非常に簡単である。天板Ｐの取り外し時は、上述した動作と反対の動作をすることにより、天板Ｐを第１および第２脚部材１１、２１から取り外すことができ、天板Ｐの取り外しも非常に簡単である。
【００３１】
さらに、本実施形態では、第１および第２の机１、２の手前側に挟持部Ｓａ１、Ｓａ２を設け、第１および第２の机１、２の奥側に係合部Ｅを設けている。着座者は、第１および第２の机１、２に座ったときに、天板Ｐの手前側に手や肘を載せたり、立ち上がるときなどに、天板Ｐの手前側に体重をかけてしまうことがある。このような場合に、たとえば手前側、奥側の両方が挟持部Ｓａ１、Ｓａ２により、取り付けられていたり、手前側が係合部Ｅで、奥側が挟持部Ｓａ１、Ｓａ２である場合には、天板Ｐの手前側に体重をかけた場合に、手前側、すなわち、枠体１１ａ、２１ａの第２の部分Ｐ２を支点として、天板Ｐが旋回してしまい、天板Ｐが外れる可能性がある。一方、本実施形態の場合、天板Ｐが第２の部分Ｐ２を支点として回転しようとしても、係合部Ｅの下側の部分が枠体１１ａ、２１ａの第１の部分Ｐ１と係合して、第２の部分Ｐ２を支点として回転することがない。したがって、天板Ｐに体重がかかったときの天板Ｐの外れを防止することができる。したがって、天板Ｐの枠体１１ａ、２１ａへの容易な取り付けができ、容易な着脱が可能であるにも拘らず、天板Ｐの手前に手や肘をついて立ち上がるときに天板Ｐが外れることを防止することができる。
【００３２】
なお、上記実施形態では、天板Ｐの左右方向のずれを、係合部Ｅの手前側の幅を、第１および第２脚部材１１、２１の奥側に設けられた２本の連結部１１ｄ、２１ｄの間の間隔に対応させることにより防いでいるが、天板Ｐの左右方向のずれは他の方法により防止しても構わない。図１３は、天板Ｐを下面側から見た図であり、二点鎖線により枠体１１ａを示しており、天板Ｐが枠体１１ａに取り付けられたときに、枠体１１ａに対して天板Ｐが左右方向へずれることを防止するために、図１３に示されるように、横ずれ防止突起３を、天板Ｐおよび枠体１１ａ、２１ａのうちの一方に設け（図１３では、枠体１１ａ側に設けている）、横ずれ防止突起３が嵌まり込む嵌入穴４を、天板Ｐおよび枠体１１ａ、２１ａのうちの他方（図１３では、天板Ｐ側）に設けてもよい。これにより、横ずれ防止突起３が、嵌入穴４に嵌りこみ、天板Ｐが枠体１１ａに対して左右方向にずれようとしても、横ずれ防止突起３が嵌入穴４に嵌合するため、簡単な構造で天板Ｐの横ずれを防止することができる。また、この場合、第１の取付部材Ｐａの左右方向の幅を短くすることができる。なお、左右方向への天板Ｐのずれは、たとえば、天板Ｐの下面に枠体１１ａの左右両側の部分（図１３では、枠体１１ａの上下の直線部分）に係合する係合部（図示せず）をさらに設けるなど、他の方法により横ずれを防止しても構わない。
【００３３】
つぎに、天板Ｐの枠体１１ａ、２１ａへの取付構造の他の態様を、図１４および図１５に示す。なお、図１４および図１５においては、第１脚部材１１の枠体１１ａへの取り付けを例にあげて説明するが、枠体２１ａの場合も同様である。
【００３４】
図１４および図１５に示す他の態様の第１および第２の取付部材Ｐａ、Ｐｂは、第１の部分Ｐ１に取り付けられる第１の取付部材Ｐａが、第２の取付部材Ｐｂに向かう方向とは逆の方向において開放し、枠体１１ａの第１の部分Ｐ１に係合する係合部Ｅを備えている。また、第２の部分Ｐ２に取り付けられる第２の取付部材Ｐｂは、枠体１１ａの第２の部分Ｐ２に係合可能な被操作部Ｐｂ１と、被操作部Ｐｂ１を、第２の部分Ｐ２に係合する係合位置（図１４参照）と、第２の部分Ｐ２との係合を解除する係合解除位置（図１５参照）との間で操作する操作部Ｐｂ２と、被操作部Ｐｂ１を係合位置に向かって付勢する付勢部材Ｐｂ３とを備えている。
【００３５】
第１の取付部材Ｐａの係合部Ｅは、図１１（ａ）および（ｂ）に示す実施形態とほぼ同様の構成を有しているため、説明は省略する。第２の取付部材Ｐｂは、図１４および図１５に示されるように、レバーとして示された操作部Ｐｂ２を操作することにより、被操作部Ｐｂ１が操作されて、枠体１１ａの第２の部分Ｐ２に着脱可能に構成されている。より具体的には、被操作部Ｐｂ１は、天板Ｐの下面に設けられた基台Ｐｂ４に、旋回軸Ｐｂ５回りに回転可能に取り付けられている。被操作部Ｐｂ１は、断面円形の枠体１１ａに係合できるように、略Ｃ字状の形状を呈し、被操作部Ｐｂ１の旋回軸Ｐｂ５とは反対側の端部近傍と、天板Ｐの奥側から手前側に向かう方向に進退可能な操作部Ｐｂ２との間にリンクを介して接続されている。操作部Ｐｂ２は、バネとして示された付勢部材Ｐｂ３により、被操作部Ｐｂ１が係合する方向に付勢されており、係合状態の維持が可能になっている。
【００３６】
この図１４および図１５に示す実施形態においては、図１１（ａ）および（ｂ）に示した実施形態と同様に、係合部Ｅを第１の部分Ｐ１に係合させ、第１脚部材１１の奥側を係合した後、操作部Ｐｂ２を操作して、被操作部Ｐｂ１を係合解除状態（図１５の状態）に移動させながら、天板Ｐの手前側を、下方に向かって下ろすように、係合部Ｅと第１の部分Ｐ１との係合箇所を支点として旋回させる。天板Ｐが水平な状態まで降りると、操作部Ｐｂ２から手を離す。操作部Ｐｂ２から手を離すと、付勢部材Ｐｂ３の付勢力により、被操作部Ｐｂ１が旋回軸Ｐｂ５回りに旋回し、第２の部分Ｐ２に被操作部Ｐｂ１が係合し、天板Ｐの取り付けが完了する（図１４参照）。このような構造により、本実施形態の天板Ｐは、第１および第２脚部材１１、２１への取り付けが非常に簡単である。天板Ｐの取り外し時は、上述した動作と反対の動作をすることにより、天板Ｐを第１および第２脚部材１１、２１から取り外すことができ、天板Ｐの取り外しも非常に簡単である。また、この他の実施形態においても、天板Ｐに体重がかかったときの天板Ｐの外れをより強固に防止することができる。したがって、天板Ｐの枠体１１ａ、２１ａへの容易な取り付けができ、天板Ｐの容易な着脱が可能であるにも拘らず、天板Ｐが枠体１１ａ、２１ａから外れることを防止することができる。
【００３７】
つぎに、本実施形態の机セットＳの効果について図１を用いて説明する。
【００３８】
まず、机セットＳを使用していないときについて説明する。机セットＳを使用しないときは、図１の壁Ｗよりも右側の収納スペースに複数の第１脚部材１１、第２脚部材２１、および天板Ｐが収納される。本実施形態の第１および第２脚部材１１、２１は、それぞれ、天板Ｐを外した状態で、垂直に複数スタッキング可能となっている。図１に示されるように、第１および第２の机１、２を構成する各部を収納するときに、本実施形態では、天板Ｐが着脱可能であるため、天板Ｐが取り外されて、複数の第１脚部材１１は、図１および図６に示されるように、第１脚部材１１同士でスタッキングされ、複数の第２脚部材２１は、図１および図１０に示されるように、第２脚部材２１同士で垂直にスタッキングされる。また、天板Ｐは、第１脚部材１１と第２脚部材２１とで共通（枠体１１ａ、２１ａの形状および大きさが、第１脚部材１１と第２脚部材２１とで共通）しているため、天板Ｐの置き場所を第１脚部材１１と第２脚部材２１とで区別する必要がなく、図１に示されるように、同じ場所に保管することができる。したがって、第１脚部材１１と第２脚部材２１とを、天板Ｐがない状態でスタッキングすることにより、コンパクトに収納することができ、天板Ｐの置き場所もかさばらないため、全体として非常にコンパクトな収納が可能となる。従来のお膳などは、スタッキングする際に積み重ね用の器具が必要であったり、天板がある状態でスタッキングされていたため、スタッキング時に垂直方向の高さが高くなりコンパクトに収納することができず、スタッキング時に安定しないという問題があったが、本実施形態では、天板Ｐを外した状態で第１および第２の机１、２の、第１および第２脚部材１１、２１がスタッキングされるため、スタッキング時の垂直方向の高さを、天板Ｐがある机を積み重ねる場合と比較して低くすることができ、スタッキング時も安定する。また、本実施形態では、第１および第２脚部材１１、２１の接地部１１ｃ、２１ｃが略コ字状となっており、水平方向で一方が開放している。したがって、既にスタッキングされた第１および第２脚部材１１、２１の上にさらにもう１つの第１または第２脚部材１１、２１を積み重ねようとするときに、積み重ねようとする第１または第２脚部１１、２１の接地部１１ｃ、２１ｃを既にスタッキングされた第１および第２脚部材１１、２１の枠体よりも上方に持ち上げてから積み重ねる必要がなく、これから積み重ねようとする第１または第２脚部材１１、２１を水平方向に移動させることにより、スタッキングが可能となる。そのため、背の低い者でも、第１および第２脚部材１１、２１のスタッキングが容易となり、高くスタッキングされた第１および第２脚部材１１、２１の上にさらに第１および第２脚部材１１、２１をスタッキングする場合でも、容易にスタッキングすることができる。また、最も上の第１または第２脚部材１１、２１を取り外すときも、スタッキングされた状態から、少し垂直方向に最も上の第１または第２脚部材１１、２１を持ち上げて、その後水平方向に第１または第２脚部材１１、２１を移動させれば第１または第２脚部材１１、２１を取り外すことができるため、高くスタッキングされた最も上の第１または第２脚部材１１、２１の取り外しも容易となる。
【００３９】
また、本実施形態では、図６および図１０に示されるように、連結部１１ｄ、２１ｄの少なくとも一部に、第１および第２脚部材１１、２１のスタッキング時のずれを防止するための保持部Ｈが設けられている。保持部Ｈは、図１６に示されるように、連結部１１ｄ、２１ｄに固定される断面略Ｃ字状の固定部Ｈ１と、略Ｃ字状の固定部Ｈ１から延びる一対の張り出し部Ｈ２とを有している。一対の張り出し部Ｈ２の間隔は、張り出し部Ｈ２の自由端側に向かって広がるように構成されている。なお、張り出し部Ｈ２の形状は、図１６では、断面において直線状に延びているが、湾曲していても構わない。この保持部Ｈは、たとえば、図６および図１０に示されるように、連結部１１ｄ、２１ｄの上部側に固定され、積み重ねられた第１および第２脚部材１１、２１の連結部１１ｄ、２１ｄが、保持部Ｈに保持されることにより、第１および第２脚部材１１、２１のずれが防止される。なお、本実施形態では、保持部Ｈは、第１および第２脚部材１１、２１の左右の連結部１１ｄ、２１ｄに設けられているが、奥側の連結部１１ｄ、２１ｄに設けられていてもよい。
【００４０】
なお、図１では、天板Ｐを概略的に示しているため、天板Ｐの下面側の第１の取付部材Ｐａおよび第２の取付部材Ｐｂは省略している。天板Ｐは、図１に示されるように、垂直に積み重ねてもよいし、天板Ｐを立てた状態（床面に略垂直な方向）で保管しても良い。なお、天板Ｐを図１のように積み重ねる場合、たとえば、第１の取付部材Ｐａおよび第２の取付部材Ｐｂの天板Ｐの下面からの突出量を同じとしてもよいし、天板Ｐの下面の四隅に、第１および第２の取付部材Ｐａ、Ｐｂより高さが高い、同じ高さの突出部（図示せず）を設けてもよい。
【００４１】
つぎに、第１の机１および第２の机２を用意する場合について説明する。
【００４２】
たとえば、複数の団体客の中で２名の客の足腰が悪く、椅子を使って座ることを希望した場合、２つの第２の机２が必要となる。その場合、収納された机セットＳの中から、高さが高い２つの第２脚部材２１を用意し、それ以外は第１脚部材１１を用意する。スタッキングされた第１および第２脚部材１１、２１から、所定の数を取り出した後、客間に並べる。このとき、接地部１１ｃ、２１ｃが略コ字状に形成されていることにより、第１および第２の机１、２の手前側が容易に判断でき、着座者側に略コ字状の接地部１１ｃ、２１ｃの開放した側が向くように第１および第２脚部材１１、２１を並べる。第１脚部材１１および第２脚部材２１が並べられると、第１および第２脚部材１１、２１の両方に共通する天板Ｐを、第１および第２脚部材１１、２１の枠体１１ａ、２１ａに取り付ける。天板Ｐは、第１および第２脚部材１１、２１に共通しているため、天板Ｐを取り出す際に、第１脚部材１１の天板Ｐと第２脚部材２１の天板Ｐとを区別する必要がなく、天板Ｐの大きさなどを確認する必要がないため、天板Ｐの取り出しと取り付け作業が容易かつ迅速となる。
【００４３】
また、本実施形態では、天板Ｐが第１脚部材１１および第２脚部材２１で共通しているため、天板Ｐの製造時のコストを低減することができ、特に、枠体１１ａ、２１ａおよび接地部１１ｃ、２１ｃの形状および大きさが、第１脚部材１１と第２脚部材２１とで共通する場合には、天板Ｐ、枠体１１ａ、２１ａ、接地部１１ｃ、２１ｃの全てが共通するため、製造コストを大幅に低減することができる。
【符号の説明】
【００４４】
１  第１の机
１１  第１脚部材
１１ａ  枠体
１１ｂ  脚部
１１ｃ  接地部
１１ｄ  連結部
２  第２の机
２１  第２脚部材
２１ａ  枠体
２１ｂ  脚部
２１ｃ  接地部
２１ｄ  連結部
３  横ずれ防止突起
４  嵌入穴
Ｂ  天板本体
Ｃ  接続部分
Ｅ  係合部
Ｈ  保持部
Ｈ１  固定部
Ｈ２  張り出し部
Ｐ  天板
Ｐ１  第１の部分
Ｐ２  第２の部分
Ｐａ  第１の取付部材
Ｐａ１  平板部
Ｐｂ  第２の取付部材
Ｐｂ１  被操作部
Ｐｂ２  操作部
Ｐｂ３  付勢部材
Ｐｂ４  基台
Ｐｂ５  旋回軸
Ｓ  机セット
Ｓａ１、Ｓａ２  挟持部
Ｗ  壁
【図１】
0006386421.tif 000002
【図２】
0006386421.tif 000003
【図３】
0006386421.tif 000004
【図４】
0006386421.tif 000005
【図５】
0006386421.tif 000006
【図６】
0006386421.tif 000007
【図７】
0006386421.tif 000008
【図８】
0006386421.tif 000009
【図９】
0006386421.tif 000010
【図１０】
0006386421.tif 000011
【図１１】
0006386421.tif 000012
【図１２】
0006386421.tif 000013
【図１３】
0006386421.tif 000014
【図１４】
0006386421.tif 000015
【図１５】
0006386421.tif 000016
【図１６】
0006386421.tif 000017